(57)【特許請求の範囲】
【請求項１】
敷き詰められたコンクリートセグメント上に断熱コンクリートを打設により積層して成る低温液体貯槽の防液堤において、前記コンクリートセグメントの突き合わせ目地部にアンカー部材をその下端部がコンクリートセグメントに係止できる状態で挿入配設し、前記アンカー部材がコンクリートセグメントの目地部から突出する部分に、打設される前記断熱コンクリート中に埋設される座板状部材が取り付けられていることを特徴とする低温液体貯槽の防液堤。
【請求項２】
請求項１において、断熱コンクリート層には耐アルカリ繊維または金属製の補強繊維が含まれていることを特徴とする低温液体貯槽の防液堤。
【請求項３】
敷き詰められたコンクリートセグメント上に断熱コンクリートを打設により積層して成る低温液体貯槽の防液堤において、前記コンクリートセグメントの突き合わせ目地部にアンカー部材をその下端部がコンクリートセグメントに係止できる状態で挿入配設し、前記アンカー部材がコンクリートセグメントの目地部から突出する部分に、打設される前記断熱コンクリート層中に埋設される座板状部材が取り付けられ、前記コンクリートセグメント上に、断熱コンクリートの打設用型枠として、断熱コンクリートと一体化されると共に温度変化による断熱コンクリートの伸縮に追随し得るクッション性を有する型枠材が固定されていることを特徴とする低温液体貯槽の防液堤。
【請求項４】
請求項３において、断熱コンクリート層には耐アルカリ繊維または金属製の補強繊維が含まれていることを特徴とする低温液体貯槽の防液堤。
【請求項５】
敷き詰められたコンクリートセグメント上に断熱コンクリートを打設により積層する低温液体貯槽の防液堤の施工方法において、前記コンクリートセグメントの突き合わせ目地部にアンカー部材をその下端部がコンクリートセグメントに係止できる状態に挿入配設する工程と、前記アンカー部材がコンクリートセグメントの目地部から突出する部分に、打設される断熱コンクリート中に埋設される座板状部材を取り付ける工程とから成ることを特徴とする低温液体貯槽の防液堤の施工方法。
【請求項６】
敷き詰められたコンクリートセグメント上に断熱コンクリートを打設により積層する低温液体貯槽の防液堤の施工方法において、前記コンクリートセグメントの突き合わせ目地部にアンカー部材をその下端部がコンクリートセグメントに係止できる状態に挿入配設する工程と、前記アンカー部材がコンクリートセグメントの目地部から突出する部分に、打設される断熱コンクリート中に埋設される座板状部材を取り付ける工程と、前記コンクリートセグメント上に、断熱コンクリートの打設用型枠として、断熱コンクリートと一体化されると共に温度変化による断熱コンクリートの伸縮に追随し得るクッション性を有する型枠材を固定する工程とから成ることを特徴とする低温液体貯槽の防液堤の施工方法。
【発明の詳細な説明】
【０００１】
【発明の属する技術分野】
本発明は、ＬＮＧ，ＬＰＧ，ＬＮ２，ＬＯＸ，ＤＭＥ，エチレングリコール等の低温液化ガス貯槽の周囲に設置される防液堤の改良に関する。
【０００２】
【従来の技術】
上記低温液化ガス貯槽の周囲に設置される防液堤は、地震等の災害時に貯槽内の液化ガスが漏洩した場合に、貯槽外部に液が流出するのを防止すると共に流出液が大気との接触により急激にガス化するのを防止する機能を有する構造とされている。
【０００３】
図６に、低温液化ガス貯槽の周囲に設置された防液堤の概略構成を示す。図中、Ａは貯槽、Ｂは防液堤であり、ｂ１は防液堤を構成する床面部、ｂ２は壁面部、ｂ３は集液部である。
上記防液堤を構成する床面部としては、図７〜図９に示す構造が知られている。
【０００４】
図７に示した床面部は、地盤１の上面にレベル調整用の砂層２を形成し、その上にコンクリートセグメント３を敷き詰め、さらにその上に断熱層用泡ガラスセグメント４を接着剤によって一体化して敷き詰めた構造である。
【０００５】
図８に示した床面部は、図７に示した既設床面部の断熱材（泡ガラスセグメント）が劣化した場合の補修例（または新設例）として示したもので、前記断熱層用泡ガラスセグメント４とコンクリートセグメント３と砂層２を取り除き、地盤１の一部を掘り下げた後、路盤５として砕石を敷き、この上にコンクリート６を打設し、ここからアンカー部材７を取り出し、それに補強金網８を絡ませ、次いで断熱層として黒曜石系パーライトコンクリート９を打設した構造である。
【０００６】
図９に示した床面部は、図７の床面部の改良例（または新設例）として示したもので、図７の泡ガラスセグメント４のみを取り除き、コンクリートセグメント３ごとにアンカー部材１０を打ち込み、これに補強金網８を取り付け、断熱材として黒曜石系パーライトコンクリート９を打設した構造である。
【０００７】
【発明が解決しようとする課題】
図７〜図９に示した床面部のうち、図７で断熱材として泡ガラスセグメント４を使用したものは、雨水・紫外線による経年劣化が施工後５〜１０年で発生し、当初の断熱性能を維持できなくなる。このため、図８に示すように、既設の断熱材とセグメントを撤去し、床面を掘り下げた上に基盤コンクリート６を打設し、この上に断熱材の補強と水没時の浮き上がり防止のためのアンカーと補強金網を設け、所要厚さの断熱コンクリートを打設している。
【０００８】
また、図９に示すように、既設の断熱材用泡ガラスセグメントのみを撤去し、残したコンクリートセグメントにアンカーボルトを配置し、同様な補強筋８を設け、断熱コンクリートを打設している。
【０００９】
以上に挙げた床面部の各構造のうち、図８に示した床面部の構造は、既設の泡ガラスセグメントとレベルが変わらないため、防液堤の容量は変わらないが、掘り下げや廃材処理に多額の費用を必要とする。
【００１０】
また、図９に示した床面部の構造は、廃材の低減に効果があるものの、断熱材の打設後のレベルが泡ガラスの場合に比べて高くなり、この分防液堤の容量が減少する問題がある。
【００１１】
一方、初期蒸発を抑制するための前記断熱材の断熱厚さについてみると、初期蒸発速度１５×１０−３×ｔ−０．５cm／secあるいは見かけの熱伝導率が０．０３１kcal／ｍ２sec０．５℃以下であれば、初期の３分間で断熱材と低温液化ガスの熱交換が行われ、準定常状態に移行するため、沸騰状態に収まる。これに必要な断熱材厚さは計算上２５〜３５ｍｍで十分である。
【００１２】
しかし、前記補強筋を入れる断熱コンクリートは、打設厚さを５０ｍｍ以上設けないと、補強筋の精度で表面に現れたり、断熱コンクリート被り厚さが少ないためにクラックが発生する不具合が生じる。
また、防液堤やそのなかに設けられる集液槽の容量に余裕率がない場合、床面を掘り下げる等の処置が必要となり、これが高コストの要因となる。
【００１３】
本発明は上記問題に鑑みなされたものであって、敷き詰められたコンクリートセグメント上に断熱コンクリートを積層してなる低温液体貯槽の防液堤において、まず、コンクリートセグメントへのアンカー部材の取り付け手段を簡易化し、断熱コンクリート内に埋設される補強筋ならびに打設用型枠を実質的に不要とすることで、その部分の工数を半減すると共に断熱コンクリートの打設量の低減化を可能とし、かつその原料費の節減を可能とした低温液体貯槽の防液堤を提供することを目的とする。
【００１４】
【課題を解決するための手段】
上記目的を達成するため、請求項１の発明は、敷き詰められたコンクリートセグメント上に断熱コンクリートを打設により積層して成る低温液体貯槽の防液堤において、前記コンクリートセグメントの突き合わせ目地部にアンカー部材をその下端部がコンクリートセグメントに係止できる状態で挿入配設し、前記アンカー部材がコンクリートセグメントの目地部から突出する部分に、打設される前記断熱コンクリート中に埋設される座板状部材が取り付けられていることを要旨とする。
【００１５】
請求項２の発明は、請求項１において、断熱コンクリート層には耐アルカリ繊維または金属製の補強繊維が含まれていることを要旨とする。
【００１８】
また、請求項３の発明は、敷き詰められたコンクリートセグメント上に断熱コンクリートを打設により積層して成る低温液体貯槽の防液堤において、前記コンクリートセグメントの突き合わせ目地部にアンカー部材をその下端部がコンクリートセグメントに係止できる状態で挿入配設し、前記アンカー部材がコンクリートセグメントの目地部から突出する部分に、打設される前記断熱コンクリート層中に埋設される座板状部材が取り付けられ、前記コンクリートセグメント上に、断熱コンクリートの打設用型枠として、断熱コンクリートと一体化されると共に温度変化による断熱コンクリートの伸縮に追随し得るクッション性を有する型枠材が固定されていることを要旨とする。
【００１９】
請求項４の発明は、請求項３において、断熱コンクリート層には耐アルカリ繊維または金属製の補強繊維が含まれていることを要旨とする。
【００２０】
請求項５の発明は、敷き詰められたコンクリートセグメント上に断熱コンクリートを打設により積層する低温液体貯槽の防液堤の施工方法において、前記コンクリートセグメントの突き合わせ目地部にアンカー部材をその下端部がコンクリートセグメントに係止できる状態に挿入配設する工程と、前記アンカー部材がコンクリートセグメントの目地部から突出する部分に、打設される断熱コンクリート中に埋設される座板状部材を取り付ける工程とから成ることを要旨とする。
【００２１】
請求項６の発明は、敷き詰められたコンクリートセグメント上に断熱コンクリートを打設により積層する低温液体貯槽の防液堤の施工方法において、前記コンクリートセグメントの突き合わせ目地部にアンカー部材をその下端部がコンクリートセグメントに係止できる状態に挿入配設する工程と、前記アンカー部材がコンクリートセグメントの目地部から突出する部分に、打設される断熱コンクリート中に埋設される座板状部材を取り付ける工程と、前記コンクリートセグメント上に、断熱コンクリートの打設用型枠として、断熱コンクリートと一体化されると共に温度変化による断熱コンクリートの伸縮に追随し得るクッション性を有する型枠材を固定する工程とから成ることを要旨とする。
【００２２】
【発明の実施の形態】
本発明の好ましい実施の形態としては、図１に示すように、地盤１、砂層２、コンクリートセグメント３および打設断熱コンクリート４から成る防液堤において、セグメント３の突き合わせ目地部にＬ形アンカー部材１１を挿入し、このアンカー部材は、その下端屈曲部をコンクリートセグメントの下面に係止させ、目地部の上に突出する先端部には、ナット１２を介してエキスパンドメタルラス製の環形座板状部材１３を固着する。
前記座板状部材１３の形状は環形に限らず角形等の形状でもよく、大きさは面積５０〜４００ｃｍ２の範囲のものが好ましい。
【００２３】
一方、前記コンクリートセグメント３上の所要部位に軟質ウレタンフォーム製の型枠材１４を立設し、アングル材１５、押え板１６、楔止めビス１８等を用いて型枠材１４を固定したあと、断熱コンクリート４を打設して構成する。
【００２４】
【実施例】
図１〜図５に、本発明による防液堤の床面部の一実施例を示す。なお、図６〜図９と同一または類似する部材には同じ符号が付されている。
図１〜図５において、１は地盤、２は砂層、３はコンクリートセグメントであり、コンクリートセグメント３の突き合わせ目地部にＬ形アンカー部材１１が挿入されている。このアンカー部材はその下端屈曲部をコンクリートセグメントの下面に係止され、目地部の上に突出する先端部には、ナット１２を介してエキスパンドメタルラス製の環形座板状部材１３が固着されている。
前記座板状部材１３はコンクリートセグメント３の上面より５〜１５ｍｍの高さ位置に固着するのが好ましい。
【００２５】
一方、コンクリートセグメント３上には、その所要部位に軟質ウレタンフォーム製またはポリエチレンフォーム製の型枠材１４が立設されている。前記型枠材１４を立設する手段として、図１〜図３の例では、アングル材１５および押え板１６を介してコンクリート３は固定されている。１７は型枠材１４にアングル材１５に連結させたクギ、１８は押え板１６をコンクリートセグメント３の横目地部に楔止めしたビスである。
また、型枠材１４は、図４に示すように、アングル材１５をコンクリートセグメント３の横目地部に挿入したＺ形アンカー部材１９の一端で押え込む手段を用いてもよい。
【００２６】
図５は、敷き詰めたコンクリートセグメント３の上面に立設固定した型枠材１４により、断熱コンクリート層の打設区画範囲を示したものである。図中、１３は前記エキスパンドメタルラス製の環形座板状部材である。
【００２７】
前記断熱コンクリート層としては、繊維径１３．５〜１８μｍ、カット長さ９〜２５ｍｍの耐アルカリ繊維あるいは線径０．３〜０．５５ｍｍ、長さ１５〜２５ｍｍの金属補強繊維を断熱コンクリートに混練り時に容積比で３〜５％混入させたものが好ましい。
【００２８】
【発明の効果】
以上詳述したように、本発明による防液堤の構成によれば、従来の初期蒸発に対する性能を維持したままの状態で以下の効果が得られる。
〔１〕断熱コンクリートの内部補強筋が不要となり、既設の断熱層厚さと同等以下で打設することが可能となり、防液堤あるいは集液槽の容量に影響を及ぼすことなく施工することができる。
〔２〕従来よりも断熱コンクリートの打設する量を低減（５０ｍｍ〜３０ｍｍ）されることにより、原料を単純計算でも４０％、床面の不陸を考慮しても２０％程度低減できる。
〔３〕アンカーボルトをコンクリートセグメントへのフック式に変更したことで、この部分の工数も半減できる。
〔４〕断熱コンクリートの補強筋をなくし、型枠を埋め込み式に変更することにより、この部分の工数も半減でき、補強繊維による原料費を加算しても従来の防液堤構造に比べ、コストを大幅に削減することができる。
【図面の簡単な説明】
【図１】本発明の一実施例を示す低温液体貯槽の防液堤要部の断面図である。
【図２】アンカー部材の取付け部拡大断面図である。
【図３】型枠材の取付け部拡大断面図である。
【図４】型枠材の取付け部の変形例を示す拡大断面図である。
【図５】防液堤要部の平面図である。
【図６】低温液体貯槽の防液堤の概略構成図である。
【図７】従来の防液堤要部の断面図である。
【図８】従来の防液堤要部の断面図である。
【図９】従来の防液堤要部の断面図である。
【符号の説明】
Ａ  低温液体貯槽
Ｂ  防液堤
ｂ１  床面部
ｂ２  壁面部
ｂ３  集液部
１  地盤
２  砂層
３  コンクリートセグメント
４  断熱層用泡ガラスセグメント
５  路盤
６  打設コンクリート
７  アンカー
８  補強筋
９  断熱層用黒曜石パーライトコンクリート
１０  アンカー
１１  アンカー部材
１２  ナット
１３  環形座板状部材
１４  型枠材
１５  アングル材
１６  押え板
１７  クギ
１８  ビス
１９  Ｚ形アンカー部材
【図１】
0004078092.tif 000002
【図２】
0004078092.tif 000003
【図３】
0004078092.tif 000004
【図４】
0004078092.tif 000005
【図５】
0004078092.tif 000006
【図６】
0004078092.tif 000007
【図７】
0004078092.tif 000008
【図８】
0004078092.tif 000009
【図９】
0004078092.tif 000010